(57)【特許請求の範囲】
【請求項１】
入光面と、反射面と、出光面から成り、上記入光面は線状のランプ源から発射される光を受けるよう配置され、上記反射面は、上記入光面に相隣し、断面Ｖ字型で２つの斜辺を有すると共に上記ランプ源に平行に走向する複数の導光体を設け、上記出光面は、上記反射面に対向して、また、上記入光面に相隣して配置され、さらに、断面Ｖ字型で２つの斜辺を有すると共に線状の上記ランプ源に垂直に走向する複数の導光体を設けて、成る導光板において、
上記反射面には、上記導光板の両側領域に配置されると共に、上記ランプ源に垂直で、且つ、上記導光板の両側辺縁側に面する長い斜辺と、中央部側に面する短い斜辺を形成し、また、上記導光板の両側辺縁側から中央部側に密から疎になるように配置された導光補助構造を設置することを特徴とする導光板の出光光場を導正する構造。
【発明の詳細な説明】
【技術分野】
【０００１】
本発明は導光板の出光光場を導正する構造に関し、詳細には、導光板の光源光場を導正し、出光の均斉度を向上させる構造に関する。
【背景技術】
【０００２】
公知の導光板１は、図１で示されるように、少なくとも、入光面１１、反射面１２、及び、出光面１３、からなる。入光面１１は、ランプ源Aが発射する光源を受け、光源が入光面１１から導光板１に入射した後、導光板１の内部に伝達される。反射面１２に入射する光源は、反射面から出光面１３方向に進み、光源の集光効果を強化するため、導光板１の出光面１３と反射面１２の表面は、それぞれ、多くのV字型導光体１３１、１２１を設置する。出光面１３上のV字型導光体１３１の走向はランプ源Aと垂直で、反射面１２表面のV字型導光体１２１の走向はランプ源Aと平行である。よって、光源がこれらのV字型導光体１３１、１２１の槽壁を経て、導光板１を離れる時、多方向に集光する効果を有する。
【０００３】
公知の導光板１は上述の構造により、導光板１が異なる方向に集光する効果を達成するが、ランプ源Aが発光する時、光源はランプ源Aの二端で発散角を形成し、図２、図３で示されるように、光線が導光板１に進入する時、導光板１二側の光場分布が二側方向に偏移し、この時、V字型導光体１２１は、偏移した光場光源の作用に対し最適な効果が達成されず、出光面１３中のV字型導光体１３１とうまく作用せず、導光板１の出光に影響する。
【発明の開示】
【発明が解決しようとする課題】
【０００４】
本発明の目的は、公知の導光板が、ランプ源が発光する時、光源がランプ源の二端で発散角を形成し、光線が導光板に進入する時、導光板二側の光場分布が二側方向に偏移して、光源作用効果に影響することを改善することにある。
【課題を解決するための手段】
【０００５】
本発明の導光板の出光光場を導正する構造において、導光板は、入光面、反射面、及び、出光面からなる。反射面、及び、出光面は多数の導光体を形成し、反射面のV字型導光体の走向はランプ源と平行で、出光面のV字型導光体の走向はランプ源と垂直である。反射面の導光板に、導光補助構造を設置する。導光補助構造の走向は、ランプ源と垂直で、長い斜辺と短い斜辺を有し、導光補助体の長い斜辺は大きい斜辺面積を有するので、光源作用が正しい方向に導向され、導光板の出光の均質度を向上させる。
【０００６】
本発明の導光板の出光光場を導正する構造は、導光補助構造が、導光板の両側辺縁側から中央部側に向かって密から疎になるよう配置され、これにより、光源作用が正しい方向に導向され、導光板の出光の均質度を向上させる。
【発明の効果】
【０００７】
本発明により導光板の出光の均斉度が向上する。
【発明を実施するための最良の形態】
【０００８】
図４で示されるように、本発明の導光板２は、入光面２１、反射面２２、及び、出光面２３からなる。
【０００９】
入光面２１は、ランプ源Aが発射する光源を受け、光源が入光面２１から導光板２に入射した後、導光板２の内部に伝達される。
【００１０】
反射面２２は、入光面２１に相隣し、導光板２の一側に位置し、反射面２２上に多くのV字型導光体２２１を設置し、V字型導光体２２１の走向はランプ源Aと平行である。反射面２２には、導光板２の両側領域に、即ち、ランプ源Aの両端に相対して導光補助構造２２を設置する。導光補助構造２２２の走向はランプ源Aと垂直で、且つ、各導光補助構造２２２は導光板２の両側辺縁側に向かって、長い斜辺２２２aを形成し、導光板２の中央部側に向かって斜辺が短い斜辺２２２ｂを形成し、各導光補助構造２２２中の長い斜辺２２２ａを利用して大きい斜面積を形成し、光源の反射作用に有利である。また、導光補助構造２２２は実施時、導光板２の両側辺縁側から中央部側に密から疎になるよう配置される。
【００１１】
出光面２３は、入光面２１に相隣し、導光板２の頂部に位置し、出光面２３上に、多くのＶ字型導光体２３１を設置し、Ｖ字型導光体２３１の走向はランプ源Ａと垂直である。
【００１２】
本発明の実施時、図５で示されるように、ランプ源Ａの光線は、入光面２１から導光板２の内部に進入し、反射面２２に入射する光源は、反射面から出光面２３の方向に進み、出光面２３上のＶ字型導光体２３１の走向はランプ源Ａと垂直で、反射面２２中のＶ字型導光体２２１の走向はランプ源Ａと平行で、これにより、光源からの光がこれらのＶ字型導光体２３１、２２１の作用により導光板２を離れる時、いろいろな方向に発光する効果を有する。この他、本発明の反射面２２中の導光板２の両側領域に導光補助構造２２２を設置し、且つ、導光補助構造２２２の走向はランプ源Ａと垂直である。各導光補助構造２２２は、長い斜辺２２２ａと短い斜辺２２２ｂを有し、導光補助構造２２２は、導光板２の両側辺縁側から中央部側に向かって密から疎に配置され、よって、光源からの光が反射面２２に入射し、反射すると同時に、導光補助構造２２２の長い斜辺２２２ａに入射して、光線が法線Ｌを屈折し、光源を正しい方向に導向する。導光補助構造２２２の長い斜辺２２２ａは、大きい斜辺面積を形成し、多くの光源が導光板２の正しい方向に出光し、これにより、導光板２の両側の出光が生成する発散角は、導光補助構造２２２により導正され、出光面２３中のＶ字型導光体２３１が好ましい適合作用を達成し、図６で示されるように、導光板２の出光光源の均質度が向上する。
【００１３】
本発明は、反射面２２が導光板２の両側領域に導光補助構造２２２を設置することにより、導光補助構造２２２の走向がランプ源と垂直をなし、長い斜辺２２２ａと短い斜辺２２２ｂを有し、これにより、導光補助構造２２２の長い斜辺２２２ａが、ランプ源Ａの発散角の光源を正しい向きに導正し、出光面２３中のＶ字型導光体２３１に作用するのに有利で、導光板２の出光光源の均質度を向上させる。この他、導光板２の中央領域に進入する時、光場の偏移現象が徐々に緩和され、これにより、導光補助構造２２２は、導光板２の両側辺縁側から中央部側に密から疎になるよう配置され、導光板２の出光光場と対応する。
【図面の簡単な説明】
【００１４】
【図１】公知の導光板の立体図である。
【図２】公知の導光板の光源進行図である。
【図３】公知の導光板の光場出光図である。
【図４】本発明の導光板の立体図である。
【図５】本発明の導光板の光源進行図である。
【図６】本発明の導光板の光場出光図である。
【符号の説明】
【００１５】
１導光板        
１１入光面          
１２反射面
１２１Ｖ字型導光体    
１３出光面
１３１Ｖ字型導光体    
２導光板        
２１入光面          
２２反射面
２２１Ｖ字型導光体    
２２２輔助導光結構
２２２ａ長い斜辺      
２２２ｂ短い斜辺
２３出光面          
２３１Ｖ字型導光体
Ａランプ源
【図１】
0004747153.tif 000002
【図２】
0004747153.tif 000003
【図３】
0004747153.tif 000004
【図４】
0004747153.tif 000005
【図５】
0004747153.tif 000006
【図６】
0004747153.tif 000007